(57)【特許請求の範囲】
【請求項１】
担体シートから転写層を被印刷物（２１）に転写するための方法であって、前記担体シートと転写層とが転写シート（２）を形成しており、前記被印刷物（２１）に少なくとも部分的に塗布装置で接着剤を塗布するようになっており、
前記被印刷物（２１）を前記転写シート（２）と共に、シート転写装置（１）内で転写ギャップ（３）を通してガイドし、
前記転写層を前記転写ギャップ（３）内で前記被印刷物（２１）に転写し、
転写作業中に前記転写シート（２）を、前記被印刷物（２１）の速度ＶBとほぼ同じである第１の速度ＶF,1で前記転写ギャップ（３）を通って移動させ、
転写が行われない時に前記転写シート（２）を第２の速度ＶF,2で前記転写ギャップを通って移動させ、この場合、前記第２の速度ＶF,2を前記第１の速度ＶF,1よりも低くし、
前記転写ギャップ（３）の前に配置した前方のガイド部材及び／又は前記転写ギャップ（３）の後ろに配置された後方のガイド部材を調節することによって、前記転写シート（２）を、前記第１の速度ＶF,1に加速するか、若しくは前記第２の速度ＶF,2に減速させる、方法において、
前方及び／又は後方の前記ガイド部材を互いに非同期的に移動させ、
転写シート（２）を速度ＶF,1若しくはＶF,2に加速若しくは減速させるために、前記前方及び／又は後方のガイド部材をその都度互いに異なる２つの加速度により加速方向（１８）若しくは減速方向（１９）に移動させ、
転写シート（２）を減速させるために、前記前方及び／又は後方の前記ガイド部材を、第１の運動区間において加速度ａT1,1／ａT2,1で移動させ、第２の運動区間において加速度ａT1,2／ａT2,2で移動させ、この場合、前記第２の運動区間における加速度ａT1,2／ａT2,2を前記第１の運動区間における加速度ａT1,1／ａT2,1よりも低く又は高くし、かつこれらの第１及び第２の運動区間における加速度を同じ方向に向けることを特徴とする、
担体シートから転写層を被印刷物（２１）に転写するための方法。
【請求項２】
担体シートから転写層を被印刷物（２１）に転写するための方法であって、前記担体シートと転写層とが転写シート（２）を形成しており、前記被印刷物（２１）に少なくとも部分的に塗布装置で接着剤を塗布するようになっており、
前記被印刷物（２１）を前記転写シート（２）と共に、シート転写装置（１）内で転写ギャップ（３）を通してガイドし、
前記転写層を前記転写ギャップ（３）内で前記被印刷物（２１）に転写し、
転写作業中に前記転写シート（２）を、前記被印刷物（２１）の速度ＶBとほぼ同じである第１の速度ＶF,1で前記転写ギャップ（３）を通って移動させ、
転写が行われない時に前記転写シート（２）を第２の速度ＶF,2で前記転写ギャップを通って移動させ、この場合、前記第２の速度ＶF,2を前記第１の速度ＶF,1よりも低くし、
前記転写ギャップ（３）の前に配置した前方のガイド部材及び／又は前記転写ギャップ（３）の後ろに配置された後方のガイド部材を調節することによって、前記転写シート（２）を、前記第１の速度ＶF,1に加速するか、若しくは前記第２の速度ＶF,2に減速させる、方法において、
前方及び／又は後方の前記ガイド部材を互いに非同期的に移動させ、
転写シート（２）を速度ＶF,1若しくはＶF,2に加速若しくは減速させるために、前記前方及び／又は後方のガイド部材をその都度互いに異なる２つの加速度により加速方向（１８）若しくは減速方向（１９）に移動させ、
転写シート（２）を加速させるために、前記前方及び／又は後方のガイド部材を、第１の運動区間において加速度ａT1,3／ａT2,4で移動させ、第２の運動区間において加速度ａT1,4／ａT2,5で移動させ、この場合、前記第２の運動区間における加速度ａT1,4／ａT2,5を前記第１の運動区間における加速度ａT1,3／ａT2,4よりも低くし、これらの第１及び第２の運動区間における加速度を同じ方向に向けることを特徴とする、
担体シートから転写層を被印刷物（２１）に転写するための方法。
【請求項３】
前記転写シート（２）の減速と加速との間で、前記ガイド部材を減速方向（１９）でさらに移動させることによって、前記転写シート（２）を前記転写ギャップ（３）から引き戻す、請求項１または２記載の方法。
【請求項４】
まず前方のガイド部材を加速度ａT1,1で減速方向（１９）に加速し、次いでその後で時間的にずらして後方のガイド部材を加速度ａT2,1で同様に前記減速方向（１９）で加速させ、この場合、前記後方のガイド部材の加速度ａT2,1を、前記前方のガイド部材の加速度ａT1,1よりも低くする、請求項１記載の方法。
【請求項５】
前方引出ローラ（９）を、前方のガイド部材の前のシートウエブガイドの領域内に設け、貯蔵ロール（７）若しくは収集ロール（８）の駆動速度を、転写シート（２）を供給するために前方引出ローラ（９）の駆動速度に関連して制御する、請求項１から４までのいずれか１項記載の方法。
【請求項６】
後方引出ローラ（１０）を、後方のガイド部材の後ろの領域に設け、この後方引出ローラ（１０）を前方引出ローラ（９）よりも速い速度で駆動する、請求項５記載の方法。
【請求項７】
前記ガイド部材として複数のダンサーローラ（１２，１３）を設け、これらのダンサーローラ（１２，１３）がそれぞれ固有の駆動装置（１４，１５）を有しており、これらの駆動装置（１４，１５）によって前記ダンサーローラ（１２，１３）を少なくとも一時的に非同期的に駆動し、それによって前記転写胴（５）の通路（２０）に基づく前記転写ギャップ（３）の前後の少なくともシートウエブ張力変化を減少させる、請求項１から６までのいずれか１項記載の方法。
【発明の詳細な説明】
【技術分野】
【０００１】
本発明は、少なくとも部分的に接着剤でコーティングされた面状の材料に圧力を作用させることによって、剥離層によって担体シートに接着された転写層を転写するための、請求項１及び請求項１０の上位概念部に記載した形式の方法及び装置に関する。
【背景技術】
【０００２】
冒頭に述べた形式のシート転写機は、例えばつや出し効果を得るために、印刷製品の処理において使用される。この機械は、ホットスタンピングシート機と常温シートスタンピング機とに分けることができる。常温シートスタンピング機においては、転写層が、面状の材料つまり枚葉紙等の非印刷物に、熱を作用させることなしに圧力を加えるだけで転写される。一般的に、常温シート転写機つまり常温シートスタンピング機においては、印刷装置（転写装置の前に配置されている）によって接着剤がプリントされ、枚葉紙に、接着剤より成る印刷画像が残存し、この接着剤の印刷画像がシート転写装置内で使用済みの転写シートから転写層を引き取り、それによってこの転写層が部分的に枚葉紙に転写されることになる。この場合、転写層は転写ギャプ内で圧力作用によって、ほぼ接着剤が付着された領域内に部分的に転写される。
【０００３】
このようなシート転写技術においては、転写シートを、転写時に被印刷物と同じ速度で移動させる必要があり、一般的に、被印刷物の小さい領域だけを転写層で被覆しなければならない、という問題ある。特に、関与した転写胴の転写ギャップは、いわゆる通路を有しており、この通路内に印刷ブランケットが固定されている。この通路の領域内では、圧力によって転写層の転写ができない。従って、通路が被印刷物の領域内にない時に、被印刷物を転写胴と対抗圧胴との間の転写ギャップ内に侵入するように、制御しなければならない。転写シートが使用されずに転写ギャップを通って搬送される別の領域は、転写層が被印刷物に転写されてはならない領域である。
【０００４】
転写シートを良好に利用し、かつ消費材料を少なくするために、例えばヨーロッパ特許第９３２５０１号明細書によれば、転写シートが１対のダンサーローラを介して移動せしめられ、この１対のダンサーローラは、転写胴の通路と周期的に同じタイミングで移動するようになっており、転写シートが通路の領域内で減速されて例えばゼロの速度になる。このために、２つのダンサーローラは、転写シートウエブが、さらに移動せしめられる貯蔵ロールによって第１の前方のダンサーローラによって貯蔵され、それと同時に、第２の後方のダンサーローラによって収集ロールに引き渡されるように、互いに連動している。このような形式で、貯蔵ロール及び収集ロールの領域内において一定なシートウエブ張力が保証される。転写シートを節約するために、２つのダンサーローラは連動して、１つの減速方向に移動せしめられる。この場合、シートは特にシートギャップから引き戻されることもある。
【０００５】
このような同期運動するダンサーローラを備えた装置の問題点は、転写胴が転写シートによって包囲され、転写シートが転写ギャップの前で既に通路内に侵入する限りは回転し、これに対して転写シートは転写ギャップの後ろではまだ完全に転写胴に当て付けられ転写胴に巻き掛けられている、という点にある。転写ギャップの後ろに配置されたダンサーローラは、転写胴を対抗圧胴に調節することによって、シートに既に作用している通路を全く考慮することができない。転写ギャップの前に設けされたダンサーローラは、勿論既に存在する通路に「気づいて」いる。前方及び後方のダンサーローラは、転写ギャップによって互いにほぼ分離されている。後方のダンサーローラの領域内のシートウエブ張力が一定に保たれているのに対して、前方のダンサーローラのシートウエブ張力は既に低下している。
【０００６】
同様の作用は、通路の後縁部が対抗圧胴に既に当接している場合にも生じる。
【０００７】
前方及び後方のダンサーローラが常に互いに分離されていれば、両側においてそれぞれ異なるシートウエブ張力が発生する。しかも、通路が転写ギャップの領域内にあれば、両側におけるシートウエブ張力は、一般的に低下する。
【先行技術文献】
【特許文献】
【０００８】
【特許文献１】ヨーロッパ特許第９３２５０１号明細書
【発明の概要】
【発明が解決しようとする課題】
【０００９】
そこで本発明の課題は、シートウエブ張力の変化をできだけ十分に避けることができるような方法及び装置を提供することである。
【課題を解決するための手段】
【００１０】
この課題を解決した本発明の方法の手段によれば、前記転写ギャップの前に配置した前方のガイド部材及び前記転写ギャップの後ろに配置された後ろのガイド部材を調節することによって、前記転写シートを、第１の速度ＶF,1に加速するか、若しくは第２の速度ＶF,2に減速し、この場合、前記第１の速度を被印刷物の速度にし、前記第２の速度を、前記通路内における前記転写シートの速度とするようにした。
【発明の効果】
【００１１】
このような本発明の方法において、次いで特に転写ギャップの前及び／又は後に配置された前記ガイド部材を互いに非同期的に移動させて、転写ギャップを通ってガイドする際に転写シートのシートウエブ張力変化を少なくとも減少させることができる。このような非同期的な制御運動は、特に時間的にずらして実施しなければならない。ガイド部材の非同期的な制御によって、互いに分離された複数のガイド部材例えばダンサーローラにおいて、転写ギャップの両側のシートウエブ張力を互いに無関係にほぼ一定に維持することができる。非同期的な制御は、少なくとも部分的に時間的にずらされた複数のガイド部材の運動及び／又は複数のガイド部材の異なる運動によっても得られる。
【００１２】
まず、通路の部分的な作用によってのみ変化せしめられるシートウエブ張力を維持し、次いで通路の全作用によって影響されるシートウエブ張力を維持するために、本発明によれば、転写シートを速度ＶF,1若しくはＶF,2に加速若しくは減速させるために、前記前方及び／又は後方のガイド部材をその都度互いに異なる２つの加速度により加速方向若しくは減速方向に移動させるようにした。
【００１３】
この場合特に、前方のガイド部材をまず高い加速度で次いで低い加速度で加速し、後方のガイド部材をまず低い加速度で次いで高い加速度で加速するように、提案されている。このような加速度プロフィールは、転写シートを減速するために設けられている。これは特に、互いに連続する接続関数（Splice-Funktion）が互いにより低い加速度若しくはより高い加速度を有するような形状の加速度プロフィールが想定されている場合でも設けることができる。
【００１４】
シートウエブが、減速された状態から再び被印刷物の速度に加速される場合、前方のガイド部材はまず高い加速度で加速され、次いで低い加速度で加速され、これに対して後方のガイド部材はまず低い加速度で加速され、次いで高い加速度で加速される。この場合、それぞれ通路の縁部作用が考慮される。混線を避けるためにシートを加速する際に、まず被印刷物の速度よりも高い速度で加速し、次いで後方及び前方のガイド部材による適当な負の加速によって補整する必要がある。
【００１５】
本発明の実施態様に従って、前記転写シートの減速と加速との間で、前記ガイド部材を減速方向でさらに移動させることによって、前記転写シートを前記転写ギャップから引き戻すことができる。これによって、シート停止状態だけによるよりも多くのシートを節約することができる。
【００１６】
通路が後方若しくは前方のガイド部材に作用する時点を相応に考慮するために、まず前方のガイド部材を加速度ａT1,1で減速方向に加速し、次いでその後で時間的にずらして後方のガイド部材を加速度ａT2,1で同様に前記減速方向で加速させ、この場合、前記後方のガイド部材の加速度ａT2,1を、前記前方のガイド部材の加速度ａT1,1よりも低くするようにした。
【００１７】
貯蔵ローラにおいてガイド部材とは無関係な一定のシートウエブ張力を保証するために、前方引出ローラを、前方のガイド部材の前のシートウエブガイドの領域内に待機させ、貯蔵ロール若しくは収集ロールの駆動速度を、転写シートを供給するために前方引出ローラの駆動速度に関連して制御するようにした。これによって、タイミング制御を行わない装置とは異なり、タイミング制御速度を転写ギャップによって設定するのではなく、前方引出ローラにおいて設定し、次いでこの前方引出ローラで貯蔵ロール及び収集ロールの駆動装置を制御することを保証することができる。
【００１８】
収集ロールにおけるシートウエブ張力を維持するために、本発明によれば、後方引出ローラを、後方のガイド部材の後ろの領域に設け、この後方引出ローラを前方引出ローラよりも速い速度で駆動するようにした。
【００１９】
特に有利な実施態様によれば、ガイド部材としてダンサーローラを設け、これらのダンサーローラがそれぞれ固有の駆動装置を有しており、これらの駆動装置によって前記ダンサーローラを少なくとも一時的に非同期的に駆動し、それによって前記転写胴の通路の底部に設けられた前記転写ギャップの前後の少なくともシートウエブ張力変化を減少させるようにした。
【００２０】
前記課題を解決した、本発明のシート転写機によれば、被印刷物に少なくとも部分的に接着剤を塗布するための塗布装置が設けられていて、該塗布装置を通って前記被印刷物がガイドされるようになっており、前記塗布装置の後ろに支承されたシート転写装置が設けられていて、該シート転写装置が、転写層を有する担体シートから転写層を少なくとも部分的に前記被印刷物に転写するための転写ギャップを有しており、前記担体シートと転写層とが転写シートを形成しており、前記転写シートを供給するための貯蔵ロールと、使用された転写シートを集めるために収集ロールとが設けられており、前記転写シートの運動速度を転写ギャップの前及び／又は後ろで少なくとも一時的に前記転写ギャップ内の被印刷物の速度に適合させるための調節可能なガイド部材が設けられている形式のものにおいて、調節可能なガイド部材を非同期的に駆動するための少なくとも１つの駆動装置が設けられている。これによって、ガイド部材は互いに独立して、転写ギャップの前後における異なるシートウエブ緊張変化に反応することができる。
【００２１】
駆動装置を非同期的に制御するために、相応の制御装置が設けられているので、ガイド部材の運動経過を少なくとも１回だけ時間的にずらすことができ、ガイド部材の駆動装置をこのように制御することによって、シートウエブ張力をできるだけ一定に維持することができる。この場合、制御装置は、所定の制御システムに従って駆動されるか、又はガイド部材の領域内での測定されたシートウエブ負荷に基づいてガイド部材自体を制御することができるか、又はシートウエブ張力並びにその他のパラメータを測定し、それに応じて駆動装置のできるだけ非同期的な制御を変化させるための学習特性曲線を設定することができる。
【００２２】
特に、制御装置は、転写シートを減速又は加速するためにガイド部材がそれぞれ少なくとも２回の異なる加速で駆動されるように、駆動装置を制御するようになっている。
【００２３】
本発明の有利な実施態様によれば、収集ロールも貯蔵ロールも摩擦ローラに支承されており、前記前方及び後方のガイド部材の領域内にそれぞれ１つの前方引出ローラ及び後方引出ローラが設けられており、前記収集ロール及び／又は貯蔵ロールが、駆動速度を前方引出ローラの速度に関連して調節するようになっている。
【００２４】
このような形式で、非印刷物の運動速度を得た後で、収集ロール及び貯蔵ロールの駆動速度を調整する必要はなくなる。
【００２５】
ガイド部材として簡単な形式でダンサーローラを使用することができる。
【００２６】
本発明の実施態様によれば、別のガイド部材が配置されており、該別のガイド部材は、前記転写シートを転写胴に巻き掛け角度で巻き掛け案内し、この場合、前記巻き掛け角度は有利には１０°又はそれ以上の角度を有している。このような形式で、転写シートを転写ギャップを通ってほぼ接線方向でガイドする場合とは異なり、転写ギャップの領域内に、別の装置を配置することができる、より大きいスペースを得ることができる。
【図面の簡単な説明】
【００２７】
【図１】タイミング制御を有するシート転写装置の構造を示す概略図である。
【図２】相応のシート転写装置を備えたシート転写機を示す概略図である。
【図３】通路の種々異なる状態を示すフローチャートである。
【図４】シートウエブ速度、ウエブ張力及びダンサーローラ速度を示す線図である。
【発明を実施するための形態】
【００２８】
図１にはシート転写装置１が示されており、このシート転写装置１において、転写シート２が転写ギャップ３を通ってガイドされる。
【００２９】
シートギャップ３は、転写胴５と対抗圧胴４とによって形成される。転写シート２は、貯蔵ロール７から繰り出されて、前方引出ローラ９によって転写ギャップ３に向かう方向に引き出される。貯蔵ロール７は、図示していない摩擦ローラ上に配置されていて、被印刷物２１の速度よりも遅い速度で駆動される。貯蔵ロール７の駆動は、摩擦ローラ７によって行われる。転写シート２は前方引出ローラ９によって貯蔵ロール７から引き出される。この場合、前方引出ローラ９のローラは、貯蔵ロール７の摩擦ローラよりも早い速度で駆動される。前方引出ローラ９は、被印刷物２１の速度よりも遅い速度で駆動される。
【００３０】
繰り出された転写シート２は、タイミングモジュール１１の前方のダンサーローラ１３及び別の変向ローラ６を介して、転写胴５に対して巻き掛け角度αを形成するように、転写ギャップ３を通ってガイドされる。さらに転写シート２は転写ギャップ３の後で変向ローラ６を介して変向され、後方のダンサーローラ１２に供給される。後方のダンサーローラ１２は、転写シート２を変向させて、後方引出ローラ１０に供給する。この後方引出ローラ１０は、前方引出ローラ９よりも早い速度で駆動される。シート２は、後方引出ローラ１０によって収集ロール８に変向される。収集ロール８も摩擦ローラに支承されており、この摩擦ローラは、後方引出ローラよりも早い速度で駆動される。少なくとも摩擦ローラは、収集ロール８の周速度が後方引出ローラ１０の速度よりも高くなるように、駆動される。このような形式で、摩擦ローラと本来の収集ロール８との間でスリップが生じる。これと同様に、摩擦ローラと貯蔵ロール７との間でもスリップが生じる。
【００３１】
被印刷物２１は、対抗圧胴４を介して、転写シート２と一緒に転写ギャップ３を通ってガイドされる。図示していない転写層を転写するために、転写シート２と被印刷物２１とは同じ速度で駆動される。
【００３２】
転写胴５は図示していないブランケットを有しており、このブランケットは通路２０を介して緊締されており、この場合、通路２０は、対抗圧胴４の側のグリッパを受容するために設けられている。
【００３３】
通路２０の前方縁部１１３が転写ギャップ３に達すると、ダンサーローラ１３と転写ギャップ３との間のシートウエブ張力が失われる。転写層を被印刷物２１に転写する間、前方引出ローラ９の速度と前方のダンサーローラ１３の速度との合計によって、被印刷物２１の速度が得られる。このために、ダンサーローラ１３が、二重矢印１６によって示された経路に沿って、加速方向１８で移動せしめられる。通路２０の前方の縁部１１３が対抗圧胴４と接触することによって、通路２０の前方の縁部１１３と後方のダンサーローラ１２との接続が解除される。シートウエブ張力の急激な変化を補整するために、前方のダンサーローラ１３はモータ１５を介して駆動され、まず減速方向１９に強く加速される。これによって、この領域内における一定のシートウエブ張力が得られる。このために、制御装置２２が相応に前方のダンサーローラ１３のモータ１５を制御する。通路２０が転写ギャップ３の領域内に完全に位置すると、ダンサーローラ１３は低い加速度で減速方向１９に向かって移動せしめられ、それによって転写シート２は停止せしめられるか若しくは引き戻される。
【００３４】
通路２０を後方のダンサーローラ１２から見た場合、後方のダンサーローラ１２はまずこの後方のダンサーローラ１２の急激な変化を補整するために、低い加速度で減速方向１９に加速され、次いで高い加速度で加速され、それによって転写シート２が停止される。このために、制御装置２２は後方のダンサーローラのモータ１４に接続されている。
【００３５】
図２には、シート転写機１００の一部が示されている。このシート転写機１００は印刷機内に構成されている。枚葉紙としての被印刷物２１は、塗布装置１０１（印刷機の一般的な印刷装置である）によって、ニップ１０９を通って搬送される。このニップ１０９内で被印刷物２１に部分的に接着剤が塗布される。前述のように、枚葉紙２１は、転写ギャップ３を通ってガイドされ、この転写ギャップ３内で枚葉紙２１は、転写シート２の転写層を転写シート２から引き取る。転写層を引き取る領域で枚葉紙２１には接着剤が塗布されている。
【００３６】
以上のように処理された枚葉紙２１は、再び印刷機つまりシート転写機を通って搬送され、この印刷機に続く別の印刷機１０３に送られる。この別の印刷機１０３はゴムブランケット胴１１０と対抗圧胴１１１とから形成されている。印刷機１０３はさらに印刷装置１０３を有している。印刷機１０３内で、転写層が転写された枚葉紙２１は一般的な形式で印刷される。
【００３７】
図３には、転写胴５と転写ギャップ３の対抗圧胴４との６つの連続的な状態が示されている。転写シート２は転写胴５に巻き掛けられていて、それによって区分Ｂ１において転写ギャップ３の後側で転写胴５の表面に接触しており、これに対して反対側（つまり転写ギャップ３の前側）では転写シート２は既に転写胴５の通路２０内に侵入している。転写ギャップ３によって、シートウエブの前側と後側とが互いに分離されている。通路２０の前方縁部１１３がまだ転写ギャップ３内に達していない限り、シートはまだタイミング制御されない。通路２０の前方縁部１１３が転写ギャップ３内に侵入する瞬間に、一方では消費を節約するために転写シート２を減速する必要があり、他方では、前方のダンサーローラ１３を有する前側が通路２０に向いていることによって、前方のダンサーローラ１３の領域内のシートウエブ張力が低下するので、このシートウエブ張力変化を補整する必要がある。
【００３８】
図４には３つのグラフ２００，２０１，２０２が示されており、これらのグラフに、シートウエブ速度の変化（２００）、印刷ギャップの前後のシートウエブ張力の変化（２０１）及びダンサーローラの速度（２０２）が示されている。
【００３９】
図３の状態１〜６に示した通路２０の種々異なる位置における影響が、グラフ２００〜２０２に示されている。
【００４０】
図３の状態１に示したように、通路２０の前方の縁部１１３が転写ギャップ３内に侵入する前に、シートウエブは一定の速度で移動せしめられる。シートウエブ張力は維持され、２つのダンサーローラは一様に一方の方向に移動せしめられる。２つのダンサーローラの速度と前方引出ローラ９の速度との合計によって、枚葉紙２１の搬送速度が得られる。
【００４１】
前方縁部１１３が転写ギャップ３内に侵入すると、グラフ２０１に示されているように、前方のダンサーローラ１３におけるシートウエブ張力が低下する。グラフ２００に示されているように、この瞬間から、シートウエブ速度も減速される。シートウエブ速度を低下させると共にシートウエブ張力の損失を補償するために、グラフ２０２に示されているように、前方のダンサーローラ１３は高い加速度ａT1,1で減速方向１９に加速される。後方のダンサーローラ１２には、まだシートウエブ張力の低下がみられないが、シートウエブ速度を低下させる必要がある。従って、後方のダンサーローラ１２は、低い加速度ａT2,1で減速方向１９に加速される。この後方のダンサーローラ１２の加速は、前方のダンサーローラ１３の加速に対して時間的に少しずらされている。
【００４２】
図３の状態２は、通路２０自体が既に転写ギャップ３内に位置している状態を示している。付加的なシートウエブ張力補整は、前方のダンサーローラ１３のためにはもはや必要ない。前方のダンサーローラ１３は、シートウエブ速度の低下に従って、前記第１の加速度ａT1,1よりも低い加速度ａT1,2で加速される。図３の状態３によれば、通路２０は完全に転写ギャップ３内に位置している。ここでは、後方のダンサーローラ１２におけるシートウエブ張力変化も考慮される。後方のダンサーローラ１２におけるシートウエブ張力変化は、後方のダンサーローラ１２の減速方向１９における高い加速度ａT2,2によってタイミング制御に対して付加的に減少される。
【００４３】
前記加速は、図示の状態１〜６の間の中間半においても常に関係している。
【００４４】
図３の状態２及び３に示されているように、状態２では転写胴５の表面のいずれの区分も、前方の領域において転写シート２に接触していない。これは、状態３に向かって変化する。状態３では転写胴５の領域Ｂ２が胴入れされている。これによって、前方のダンサーローラ１３の領域におけるシートウエブ張力が高められ、これはグラフ２０１に示されている。これによって、加速度ａT1,2は、前方のダンサーローラ１３の先行する加速度よりも低くなる。
【００４５】
図３の状態４に示されているように、区分Ｂ２は次第に大きくなり、これによってシートウエブ張力は、図４のグラフ２０１に示されているように、さらに高くなる。これは、図４のグラフ２０２に従って前方のダンサーローラ１３の加速がさらに低下せしめられるころによって補整される。シートウエブ自体は、図４のグラフ２００に従って停止させる必要があるので、前方のダンサーローラ１３の減速方向１９でさらに運動させる必要がある。これは、加速度ａT1,5に従って著しく低速で減速される。
【００４６】
図４のグラフ２００によれば転写シート２は、転写ギャップ３内で通路２０と一緒になっている、図３の状態４の位置において新たに加速されるので、転写シート２は被印刷物２１が転写ギャップ３を通過する際に、再び被印刷物２１のシートウエブ速度に達する。このために、前方のダンサーローラ１３及び後方のダンサーローラ１２は、加速方向１８で加速される。この場合、後方のダンサーローラは、シートウエブ張力を維持するために、前方のダンサーローラ１３よりも早期に加速方向１８で加速される。これは、図４に符号２０２で示されている。転写シート２の一部がまだ接触している区分Ｂ１は、この領域内で次第に小さくなるので、後方のダンサーローラ１２におけるシートウエブ張力は、低下せしめられ、相応の加速によって補整される。次いで、後方のダンサーローラも前方のダンサーローラも高められた加速度ａT1,3及びａT2,4で、図３の状態５になるまで加速方向１８に加速される。図３の状態５で、後縁部１１４は転写ギャップ３内に侵入し、転写シートウエブ２のシートウエブ張力変化を新たに補整する必要がある。グラフ２０１に示されているように、前方のシートウエブ張力２０４は、ここで最大値を通過する。これは、図３の状態３〜５に示されているように、通路２０の後縁部１１４が転写シート２を引っ張り込むことによって生じる。この高められたシートウエブ張力を補整するために、前方及び後方のダンサーローラ１２，１３は、所望のシートウエブ速度のための所望のダンサーローラ速度が得られた後でもまだ、低下された加速度ａT1,4及びａT2,5で加速方向１８に加速されるようになっており、これは、図３の状態６に従って転写シート２が全巻き掛け角度に亘って転写胴５に巻き掛けられた時に、前方及び後方のダンサーローラ１３，１２が再び逆の減速方向１９に加速されるまで行われる。そしてこの減速方向１９での加速は、ダンサーローラ１２，１３の所望の速度（シートウエブ速度ＶF,1を保証するために必要である）が得られるまで行われる。
【００４７】
図４のグラフ２００には、シートウエブの速度Ｖｆのための理想的なタイミング制御が示されている。
【００４８】
グラフ２０１は、シートウエブ張力変化を補償するために前方及び後方のダンサーローラ１３，１２の加速による補整がなされない状態での転写ギャップの前におけるシートウエブ張力の特性曲線（２０４）及び転写ギャップの後におけるシートウエブ張力の特性曲線（２０５）、並びに一点鎖線２０６（前方のシートウエブ張力領域）及び２０７（後方のシートウエブ張力領域）で示されているように補整により低下されたシートウエブ張力変化を示している。
【００４９】
図４はさらに、種々異なる前方及び後方のダンサーローラ１３，１２の速度変化ＶTのためのグラフ２０２を示す。通常の場合、シートにインキ着けされている間、シートは負の速度ＶT2に対して正の速度ＶT1を有しており、つまり減速方向１８で運動が減速される。前方及び後方のダンサーローラ１３，１２を減速及び加速するための種々異なる区分はセクタ（Sektor）で示されている。これらのセクタは図３の状態１〜６に対応配置されていて、加速度ａT1/2〜5で示されている。この場合、グラフ２０８は、後方のダンサーローラ１２のための運動特性曲線を示し、グラフ２０９は、前方のダンサーローラ１３のための運動特性曲線を示している。
【００５０】
グラフ２０２で示されているように、前方及び後方のダンサーローラ１２，１３による、タイミング制御のための加速と、シートウエブ張力を減少させるための加速とを重ねることによって、転写ギャップ３の前後のシートウエブ張力２０６，２０７は著しく減少される。
【００５１】
貯蔵ロール７及び収集ロール８において摩擦ローラを使用することによって、勿論、転写シート２の複数の部分シートウエブを相並んで使用することも可能である。各部分シートウエブに、それぞれ固有の前方及び／又は後方の引出ローラ９，１０を対応すれば、これらの部分シートウエブは、互いに独立して、それぞれの課題に応じてタイミング制御することができる。
【符号の説明】
【００５２】
１  シート転写装置、  ２  転写シート、  ３  転写ギャップ、  ４  対抗圧胴、  ５  転写胴、  ６  変向ローラ、  α  巻き掛け角度、  ７  貯蔵ロール、  ８  収集ロール、  ９  前方引出ローラ、  １０  後方引出ローラ、  １１  タイミングモジュール、  １２  後方のダンサーローラ、  １３  前方のダンサーローラ、  １４，１５  モータ、  １６，１７  二重矢印、  １８  加速方向、  １９  減速矢印、  ２０  通路、  ２１  枚葉紙、被印刷物、  ２２  制御装置、  １００  シート転写装置、  １０１  塗布装置、  １０２  転写装置、  １０３  印刷装置、  １０５  転写ギャップ、  １０６  転写胴、  １０７  対抗圧胴、  １０８  転写シート、  １０９  ニップ、  １１０  ゴムブランケット胴、  １１１  対抗圧胴、  １１２  インキ装置、  １１３  前方縁部、  １１４  後縁部、  ２００，２０１，２０２  グラフ、  ２０３  シートウエブ速度、  ２０４  前方のシートウエブ張力、  ２０５  後方のシートウエブ張力、  ２０６  補整された前方のシートウエブ張力、  ２０７  補整された後方のシートウエブ張力、  ２０８  前方のダンサーローラ経路、  ２０９  後方のダンサーローラ経路
【図１】
0005478941.tif 000002
【図２】
0005478941.tif 000003
【図３】
0005478941.tif 000004
【図４】
0005478941.tif 000005